(57)【要約】      （修正有）【課題】サイドガセット部とジッパを組み合わせたプラスチック袋において、不慮にプラスチック袋が開かないようにする。【解決手段】胴部１が２層に重ね合わされ、サイドガセット部２が胴部１の両層間に折り込まれ、２つ折りされる。さらに、胴部１の両層のうち、一方の層とサイドガセット部２間にジッパ８が設けられる。ジッパ８は胴部１およびサイドガセット部２よりも短い長さであり、胴部１およびサイドガセット部２の長さ方向の限られた範囲に設けられる。【選択図】図１
2013227026.tif 000002
【特許請求の範囲】
【請求項１】
２層に重ね合わされた胴部の両側縁において、それぞれサイドガセット部が設けられ、前記サイドガセット部が前記胴部の両層間に折り込まれ、２つ折りされ、前記胴部とサイドガセット部が前記胴部の両側縁に沿ってヒートシールされ、これによってサイドシール部が形成されているプラスチック袋であって、前記胴部の両層のうち、一方の層とサイドガセット部間にジッパが設けられ、前記ジッパは前記胴部およびサイドガセット部よりも短い長さであり、前記胴部およびサイドガセット部の長さ方向の限られた範囲に設けられていることを特徴とするプラスチック袋。
【請求項２】
前記ジッパは雄および雌トラックおよびそのスカート部を有し、前記サイドシール部に平行にのび、前記サイドシール部よりも内側に配置され、前記胴部およびサイドガセット部が前記雄および雌トラックのスカート部にヒートシールされ、これによってスカートシール部が形成され、前記ジッパは前記雄および雌トラックに沿って移動するスライダを有し、前記スライダおよび雄および雌トラックは前記サイドシール部とスカートシール部間に位置し、前記スライダによって前記雄および雌トラックを離脱させ、はめ合わせるようにした請求項１に記載のプラスチック袋。
【請求項３】
前記雄および雌トラックとスカートシール部間において、前記胴部およびサイドガセット部に弱体化線が形成され、前記胴部およびサイドガセット部が前記弱体化線に沿って弱体化されており、前記胴部およびサイドガセット部を前記弱体化線に沿って引き裂き、これによって前記スライダおよび雄および雌トラックを露出させるようにした請求項２に記載のプラスチック袋。
【請求項４】
前記ジッパは前記胴部およびサイドガセット部の半分またはそれよりも短い長さである請求項１に記載のプラスチック袋。
【請求項５】
前記ジッパが前記胴部の一端縁から遠く、他端縁に近い位置に設けられている請求項１または４に記載のプラスチック袋。
【発明の詳細な説明】
【技術分野】
【０００１】
この発明は、プラスチック袋に関する。
【背景技術】
【０００２】
プラスチック袋としてサイドガセット部を有するものが使用されている。サイドガセット部を有するプラスチック袋では、２層に重ね合わされた胴部の両側縁において、それぞれサイドガセット部が設けられ、サイドガセット部が胴部の両層間に折り込まれ、２つ折りされる。さらに、胴部とサイドガセット部が胴部の両側縁に沿ってヒートシールされ、これによってサイドシール部が形成される。したがって、サイドガセット部によってプラスチック袋を拡げ、その容量を増大させることができる。
【０００３】
さらに、特許文献１のプラスチック袋では、胴部の両層のうち、一方の層とサイドガセット部間にジッパが設けられる。ジッパは胴部およびサイドガセット部に対応する長さであり、雄および雌トラックを有し、胴部の一側縁に沿って配置される。そして、胴部およびサイドガセット部が雄および雌トラックの基部にヒートシールされる。さらに、ジッパは雄および雌トラックに沿って移動するスライダを有する。したがって、スライダによって雄および雌トラックを離脱させ、プラスチック袋を開くことができ、雄および雌トラックをはめ合わせ、雄および雌トラックによってプラスチック袋を閉じることもできる。
【０００４】
この場合、胴部の両層のうち、一方の層とサイドガセット部間では、雄および雌トラックによってプラスチック袋が閉じられるだけである。したがって、プラスチック袋の内圧が雄および雌トラックに作用し、特に、大きいプラスチック袋のとき、雄および雌トラックが大きい内圧を受け、不慮に雄および雌トラックが離脱し、プラスチック袋が開くことがある。特に、胴部およびサイドガセット部の長さ方向の中央部で内圧が高まり、雄および雌トラックが離脱し、プラスチック袋が開くことが多い。
【０００５】
したがって、この発明は、サイドガセット部とジッパを組み合わせたプラスチック袋において、不慮にプラスチック袋が開かないようにすることを目的としてなされたものである。
【先行技術文献】
【特許文献】
【０００６】
【特許文献１】特許第３５６３７１３号公報
【発明の概要】
【０００７】
この発明によれば、２層に重ね合わされた胴部の両側縁において、それぞれサイドガセット部が設けられ、サイドガセット部が胴部の両層間に折り込まれ、２つ折りされ、胴部とサイドガセット部が胴部の両側縁に沿ってヒートシールされ、これによってサイドシール部が形成される。さらに、胴部の両層のうち、一方の層とサイドガセット部間にジッパが設けられる。ジッパは胴部およびサイドガセット部よりも短い長さであり、胴部およびサイドガセット部の長さ方向の限られた範囲に設けられる。
【０００８】
好ましい実施例では、ジッパは雄および雌トラックおよびそのスカート部を有し、サイドシール部に平行にのび、サイドシール部よりも内側に配置される。さらに、胴部およびサイドガセット部が雄および雌トラックのスカート部にヒートシールされ、これによってスカートシール部が形成される。ジッパは雄および雌トラックに沿って移動するスライダを有し、スライダおよび雄および雌トラックはサイドシール部とスカートシール部間に位置する。そして、スライダによって雄および雌トラックが離脱し、はめ合わされる。
【０００９】
さらに、雄および雌トラックとスカートシール部間において、胴部およびサイドガセット部に弱体化線が形成され、胴部およびサイドガセット部が弱体化線に沿って弱体化される。したがって、胴部およびサイドガセット部を弱体化線に沿って引き裂き、これによってスライダおよび雄および雌トラックを露出させることができる。
【００１０】
ジッパは胴部およびサイドガセット部の半分またはそれよりも短い長さであることが好ましい。
【００１１】
ジッパが胴部の一端縁から遠く、他端縁に近い位置に設けられることが好ましい。
【図面の簡単な説明】
【００１２】
【図１】Ａはこの発明の実施例を示す側面図、ＢはＡのプラスチック袋の断面図、ＣはＡのジッパの説明図である。
【発明を実施するための形態】
【００１３】
以下、この発明の実施例を説明する。
【００１４】
図１はこの発明にかかるプラスチック袋を示す。このプラスチック袋は胴部１およびサイドガセット部２を有し、胴部１はプラスチックフィルムからなり、矩形状をなし、２層に重ね合わされている。サイドガセット部２もプラスチックフィルムからなる。そして、胴部１の両側縁３において、それぞれサイドガセット部２が設けられ、サイドガセット部２が胴部１の両層間に折り込まれ、２つ折りされ、２層に重ね合わされている。さらに、胴部１とサイドガセット部２が胴部１の両側縁３に沿ってヒートシールされ、これによってサイドシール部４が形成されている。サイドシール部４は胴部１の両側縁３に沿ってのびる。さらに、胴部１の両層がその一端縁５に沿ってヒートシールされ、胴部１とサイドガセット部２が胴部１の一端縁５に沿ってヒートシールされ、これによってエンドシール部６が形成されている。エンドシール部６は胴部１の一端縁５に沿ってのびる。そして、内容物が胴部１の他端縁７を通り、プラスチック袋に充填され、その後、胴部１の両層がその他端縁７に沿ってヒートシールされ、胴部１とサイドガセット部２が胴部１の他端縁７に沿ってヒートシールされ、エンドシール部が胴部１の他端縁７に沿って形成される。
【００１５】
さらに、胴部１の両層のうち、一方の層とサイドガセット部２間にジッパ８が設けられている。したがって、胴部１およびサイドガセット部２の一方の層間にジッパ８が設けられているものである。ジッパ８はプラスチック製のもので、胴部１およびサイドガセット部２よりも短い長さであり、胴部１およびサイドガセット部２の長さ方向の限られた範囲に設けられる。この実施例では、ジッパ８は胴部１およびサイドガセット部２の半分またはそれよりも短い長さである。そして、ジッパ８が胴部１の一端縁５から遠く、他端縁７に近い位置に設けられている。
【００１６】
さらに、この実施例では、ジッパ８は雄および雌トラック９およびそのスカート部１０を有し、サイドシール部４に平行にのび、サイドシール部４よりも内側に配置される。さらに、胴部１およびサイドガセット部２が雄および雌トラック９のスカート部１０にヒートシールされ、これによってスカートシール部１１が形成されている。ジッパ８は雄および雌トラック９に沿ってスライドし、移動するスライダ１２を有し、スライダ１２および雄および雌トラック９はサイドシール部４とスカートシール部１１間に位置する。
【００１７】
スカート部１０は台形状のもので、短辺、長辺および斜辺を有し、雄および雌トラック９は短辺に沿ってのび、スカートシール部１１は長辺に沿って形成されている。スカートシール部１１はサイドシール部４および雄および雌トラック９に平行である。さらに、雄および雌トラック９のスカート部１０が斜辺に沿ってヒートシールされ、結合され、閉じられており、結合部１３が斜辺に沿って形成されている。斜辺は湾曲斜辺からなる。さらに、スカートシール部１１の両端部において、胴部１とサイドガセット部２が互いにヒートシールされ、胴部１およびサイドガセット部がスカート部１０にヒートシールされ、これによって補助シール部１４が形成されている。補助シール部１４は雄および雌トラック９から間隔を置いて形成され、サイドシール部４およびスカートシール部１１に達し、結合部１３は補助シール部１４と交差し、補助シール部１４内に侵入する。
【００１８】
さらに、雄および雌トラック９とスカートシール部１１間において、胴部１およびサイドガセット部２に弱体化線１５が形成され、胴部１およびサイドガセット部２が弱体化線１５に沿って弱体化されている。たとえば、ミシン目が弱体化線１５に沿って形成され、ミシン目によって胴部１およびサイドガセット部２が弱体化される。カッタとしてトムソン刃を使用し、胴部１およびサイドガセット部２を弱体化線１５に沿って部分切断し、弱体化線１５上において、複数の微小接続部分を間隔を置いて形成してもよい。微小接続部分はマイクロジョイントと呼ばれているもので、０．２ｍｍ程度の大きさであり、きわめて小さい。これによって胴部１およびサイドガセット部２を弱体化することもできる。弱体化線１５は直線からなる。
【００１９】
さらに、弱体化線１５は雄および雌トラック９およびスカートシール部１１に平行にのび、その両端部は補助シール部１４内に位置する。さらに、弱体化線１５の両端部において、胴部１およびサイドガセット部２に孔１６が形成され、胴部１の一側縁３と孔１６間において、胴部１およびサイドガセット部２に弱体化線１７が形成され、胴部１およびサイドガセット部２が弱体化線１７に沿って弱体化されている。たとえば、弱体化線１５と同様、ミシン目が弱体化線１７に沿って形成され、ミシン目によって胴部１およびサイドガセット部２が弱体化される。カッタとしてトムソン刃を使用し、胴部１およびサイドガセット部２を弱体化線１７に沿って部分切断し、弱体化線１７上において、複数の微小接続部分を間隔を置いて形成してもよい。弱体化線１７も直線からなる。弱体化線１７は曲線であってもよい。
【００２０】
したがって、内容物をプラスチック袋から取り出すとき、弱体化線１７に対応する位置において、胴部１およびサイドガセット部２を胴部１の一側縁３から引き裂くことができる。さらに、胴部１およびサイドガセット部２を弱体化線１７に沿って引き裂き、一方の孔１６まで引き裂き、弱体化線１５に沿って引き裂き、他方の孔１６まで引き裂く。さらに、胴部１およびサイドガセット部２を弱体化線１７に沿って引き裂き、胴部１の一側縁３まで引き裂くことができ、これによってスライダ１２および雄および雌トラック９を露出させることができる。
【００２１】
その後、スライダ１２を雄および雌トラック９に沿って移動させ、スライダ１２によって雄および雌トラック９を離脱させ、プラスチック袋を開き、内容物を取り出すことができる。スライダ１２を雄および雌トラック９に沿って移動させ、スライダ１２によって雄および雌トラック９をはめ合わせ、雄および雌トラック９によってプラスチック袋を閉じることもできる。
【００２２】
このプラスチック袋の場合、ジッパ８は胴部１およびサイドガセット部２よりも短い長さであり、胴部１およびサイドガセット部２の長さ方向の限られた範囲に設けられる。そして、雄および雌トラック９によってプラスチック袋が閉じられる。したがって、他の範囲では、サイドシール部４によってプラスチック袋が閉じられ、プラスチック袋の内圧が雄および雌トラック９に作用しても、問題はない。たとえ、大きいプラスチック袋であっても、内圧をサイドシール部４に分担させることができ、雄および雌トラック９が大きい内圧を受けることはなく、不慮に雄および雌トラック９が離脱し、プラスチック袋が開くことはない。
【００２３】
さらに、ジッパ８は胴部１およびサイドガセット部２の半分またはそれよりも短い長さである。したがって、胴部１およびサイドガセット部２の半分またはそれよりも長い長さの範囲において、内圧をサイドシール部４に分担させることができ、好ましい。
【００２４】
ジッパ８が胴部１の一端縁５から遠く、他端縁７に近い位置に設けられていることも前述したとおりである。したがって、胴部１およびサイドガセット部２の長さ方向の中央部で内圧が高まっても、それをサイドシール部４に分担させることができ、雄および雌トラック９が大きい内圧を受けることはない。
【符号の説明】
【００２５】
１  胴部
２  サイドガセット部
３  両側縁
４  サイドシール部
８  ジッパ
９  雄および雌トラック
１０  スカート部
１１  スカートシール部
１２  スライダ
１５  弱体化線
【図１】
2013227026.tif 000003